(57)【要約】【課題】コネクタの低背化が可能であり、且つ、端子の組み付け性が良好なコネクタを提供すること。【解決手段】コネクタ１は、相手側端子５０に接続される接続部１１を前方側に有し、電線Ｗの端部を固定する電線固定部１２，１３を後方側に有する端子１０と、上方が開放されると共に前記端子１０を保持する端子収容部を有する板状のハウジング２０と、を備える。端子１０の接続部１１には、接続部１１の幅方向両側にて幅方向外側に突出する突片１５，１６が設けられ、ハウジング２０の端子収容部には、端子収容部の幅方向両側にて、幅方向内側且つ前方側に開口すると共に前後方向に延びる溝２５，２６が設けられる。突片１５，１６が溝２５，２６に係止されることで、端子１０がハウジング２０に保持される。【選択図】図１５
2020087676.tif 000002
【特許請求の範囲】
【請求項１】
相手側端子に接続される接続部を前方側に有し、電線の端部を固定する電線固定部を後方側に有する端子と、
上方が開放されると共に前記端子を保持する端子収容部を有する板状のハウジングと、
を備え、
前記端子の前記接続部には、前記接続部の幅方向両側にて幅方向外側に突出する突片が設けられ、
前記ハウジングの前記端子収容部には、前記端子収容部の幅方向両側にて、幅方向内側且つ前方側に開口すると共に前後方向に延びる溝が設けられ、
前記突片が前記溝に係止されることで、前記端子が前記ハウジングに保持される、コネクタ。
【請求項２】
請求項１に記載のコネクタにおいて、
前記突片が前記溝の前方側に位置するように前記端子収容部に載置された前記端子を前記ハウジングに対して後方側に引き込むことで、前記突片が前記溝に進入可能に構成された、コネクタ。
【請求項３】
請求項１又は請求項２に記載のコネクタにおいて、
前記突片には、上下方向に隆起する隆起部が形成され、前記隆起部が前記溝に圧入される、コネクタ。
【請求項４】
請求項１乃至請求項３の何れか一項に記載のコネクタにおいて、
前記ハウジングと前記相手側端子を保持する相手側ハウジングとの嵌合時、前記相手側ハウジングに設けられた溝に、前記ハウジングの前方側の端縁部が圧入される、コネクタ。
【発明の詳細な説明】
【技術分野】
【０００１】
本発明は、コネクタに関する。
【背景技術】
【０００２】
従来から、電線に接続された端子を収容する端子収容部を有するハウジングを備えたコネクタが広く知られている（例えば、特許文献１を参照）。この種のコネクタでは、端子収容部に収容されている端子の抜けを防止するための抜止機構を設ける必要がある。上記文献に記載のコネクタでは、端子収容部内に臨むようにハウジング側に設けられたランス（片持ち梁状の弾性片）を端子の段部に係止させることで、抜止機構が構成されている。
【先行技術文献】
【特許文献】
【０００３】
【特許文献１】特開２００４−１３４１８９号公報
【発明の概要】
【発明が解決しようとする課題】
【０００４】
近年、コネクタの低背化の要求が高まっている。ここで、抜止機構として、ハウジング側のランスと端子の段部との係止を利用する機構が採用される場合、ランスや端子の段部を設けるための上下方向のスペースが不可避的に必要となり、このスペースが、コネクタの低背化を妨げる要因の一つとなっていた。
【０００５】
他方、この問題は、抜止機構を抜本的に変更することで解決され得る。ただし、その際、端子の組み付け性が低下しないことも非常に重要である。
【０００６】
本発明は、上述した事情に鑑みてなされたものであり、その目的は、コネクタの低背化が可能であり、且つ、端子の組み付け性が良好なコネクタを提供することにある。
【課題を解決するための手段】
【０００７】
前述した目的を達成するために、本発明に係るコネクタは、下記（１）〜（４）を特徴としている。
（１）
相手側端子に接続される接続部を前方側に有し、電線の端部を固定する電線固定部を後方側に有する端子と、
上方が開放されると共に前記端子を保持する端子収容部を有する板状のハウジングと、
を備え、
前記端子の前記接続部には、前記接続部の幅方向両側にて幅方向外側に突出する突片が設けられ、
前記ハウジングの前記端子収容部には、前記端子収容部の幅方向両側にて、幅方向内側且つ前方側に開口すると共に前後方向に延びる溝が設けられ、
前記突片が前記溝に係止されることで、前記端子が前記ハウジングに保持される、コネクタであること。
（２）
上記（１）に記載のコネクタにおいて、
前記突片が前記溝の前方側に位置するように前記端子収容部に載置された前記端子を前記ハウジングに対して後方側に引き込むことで、前記突片が前記溝に進入可能に構成された、コネクタであること。
（３）
上記（１）又は上記（２）に記載のコネクタにおいて、
前記突片には、上下方向に隆起する隆起部が形成され、前記隆起部が前記溝に圧入される、コネクタであること。
（４）
上記（１）乃至上記（３）の何れか１つに記載のコネクタにおいて、
前記ハウジングと前記相手側端子を保持する相手側ハウジングとの嵌合時、前記相手側ハウジングに設けられた溝に、前記ハウジングの前方側の端縁部が圧入される、コネクタであること。
【０００８】
上記（１）の構成のコネクタによれば、幅方向外側に突出する突片を設けるための幅方向のスペースは必要となるものの、ランスや端子の段部を設けるための上下方向のスペースが不要となる分、コネクタの低背化を達成可能である。更に、上方が開口した端子収容部に端子を載置し、その端子を後方側に引き込む、という極めて単純な動作を行うだけで、端子がハウジングに確実に保持され得る。以上より、コネクタの低背化が可能であり、且つ、端子の組み付け性が良好なコネクタを提供することができる。
【０００９】
上記（２）の構成のコネクタによれば、端子収容部に載置した端子を後方側に引き込むことで端子をハウジングに保持するために必要となる具体的な動作を提供することができる。
【００１０】
上記（３）の構成のコネクタによれば、端子のハウジングへの組み付け完了時、端子側の突片の隆起部がハウジング側の溝に圧入されるので、ハウジング−端子間のガタを確実に抑制することができる。
【００１１】
上記（４）の構成のコネクタによれば、ハウジングと相手側ハウジングとの嵌合時、ハウジングの前方側の端縁部が相手側ハウジングに設けられた溝に圧入されるので、ハウジング−相手側ハウジング間のガタを確実に抑制することができる。
【発明の効果】
【００１２】
本発明によれば、コネクタの低背化が可能であり、且つ、端子の組み付け性が良好なコネクタを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本実施形態に係るコネクタの斜視図である。
【図２】図２は、図１に示すコネクタの分解斜視図である。
【図３】図３は、相手側コネクタの斜視図である。
【図４】図４は、図３に示す相手側コネクタの分解斜視図である。
【図５】図５は、図２に示す端子の斜視図である。
【図６】図６は、図５の枠内を拡大した図である。
【図７】図７は、端子の側面図である。
【図８】図８は、図２に示すハウジングの斜視図である。
【図９】図９は、ハウジングの正面図である。
【図１０】図１０は、図９のＡ−Ａ線の断面図である。
【図１１】図１１は、図１０の枠内を拡大した図である。
【図１２】図１２は、ハウジングの端子収容部に端子を載置した状態を示す斜視図である。
【図１３】図１３は、図１２に示す状態における、図１１に対応する図である。
【図１４】図１４は、端子収容部に載置した端子を後方側に引き込んだ状態を示す斜視図である。
【図１５】図１５は、図１４に示す状態における、図１１に対応する図である。
【図１６】図１６は、図２に示す上カバーの斜視図である。
【図１７】図１７は、裏返した上カバーの斜視図である。
【図１８】図１８は、図１７の枠内を拡大した図である。
【図１９】図１９は、図２に示す下カバーの斜視図である。
【図２０】図２０は、裏返した下カバーの斜視図である。
【図２１】図２１は、図１９の枠内を拡大した図である。
【図２２】図２２は、図１に示すコネクタの正面図である。
【図２３】図２３は、図２２のＢ−Ｂ線の断面図である。
【図２４】図２４は、図２３の枠内を拡大した図である。
【図２５】図２５は、下カバー側における、図２４に対応する図である。
【図２６】図２６は、図２に示すコネクタカバーの斜視図である。
【図２７】図２７（ａ）は、図４に示す第１の相手側端子の斜視図であり、図２７（ｂ）は、図４に示す第２の相手側端子の斜視図である。
【図２８】図２８は、図２７に示す相手側端子の圧入部の拡大図である。
【図２９】図２９は、図４に示す相手側ハウジングの斜視図である。
【図３０】図３０は、相手側ハウジングを後方側から視た斜視図である。
【図３１】図３１は、図３０の枠内を拡大した図である。
【図３２】図３２は、相手側端子の圧入部が相手側ハウジングの端子収容孔に圧入された状態を説明するための図である。
【図３３】図３３は、相手側ハウジングの背面図である。
【図３４】図３４は、図３３のＣ−Ｃ線の断面図である。
【図３５】図３５は、図３４の枠内を拡大した図である。
【図３６】図３６は、相手側ハウジングの端子収容孔に相手側端子が収容された状態における、図３５に対応する図である。
【図３７】図３７は、ハウジングと相手側ハウジングとが嵌合した状態を示す斜視図である。
【図３８】図３８は、ハウジングと相手側ハウジングとが嵌合した状態における相手側ハウジングの背面図である。
【図３９】図３９は、図３８のＤ−Ｄ線の断面図である。
【図４０】図４０は、図３９における端子と相手側端子との接点の周りを拡大した図である。
【図４１】図４１は、図３９における相手側ハウジングの溝にハウジングの前方側の端縁部が圧入された部分の周りを拡大した図である。
【図４２】図４２は、図３９のＥ−Ｅ線の断面図である。
【図４３】図４３は、図４２の枠内を拡大した図である。
【発明を実施するための形態】
【００１５】
＜実施形態＞
以下、図面を参照しながら、本発明の実施形態に係るコネクタ１について説明する。図１に示すコネクタ１は、図２に示すように、端子１０と、ハウジング２０と、カバー３０と、コネクタカバー４０と、を含んで構成される。コネクタ１と嵌合する図３に示す相手側コネクタ２は、図４に示すように、端子５０Ａ，５０Ｂと、相手側ハウジング６０と、一対のペグ７０と、を含んで構成される。相手側ハウジング６０は、一対のペグ７０を利用して、基板（図示省略）に実装され固定されて使用される。以下、端子５０Ａ，５０Ｂは、総称して、端子５０と呼ぶこともある。
【００１６】
以下、説明の便宜上、図１に示すコネクタ１の軸方向（嵌合方向）において、相手側端子５０が嵌合する側（図１において左側）を前方側とし、その反対側（図１において右側）を後方側と呼ぶ。また、図１において上側及び下側をそれぞれ、上側及び下側と呼ぶ。同様に、図３に示す相手側コネクタ２の軸方向（嵌合方向）において、端子１０が嵌合する側（図３において右側）を前方側とし、その反対側（図３において左側）を後方側と呼ぶ。また、図３において上側及び下側をそれぞれ、上側及び下側と呼ぶ。以下、コネクタ１を構成する各部品について順に説明していく。
【００１７】
先ず、図５〜図７を参照しながら、端子１０について説明する。端子１０は、板状金属部材にプレス加工・曲げ加工等を施すことで形成された端子であり、相手側端子５０と接続する接続部１１と、接続部１１の後方側に連続し電線Ｗの導体芯線を固定する導体固定部１２と、導体固定部１２の後方側に連続し電線Ｗの被覆を固定する被覆固定部１３と、を備える。
【００１８】
接続部１１は、前方側に延びる短冊状の金属板が上方側に折り返されてなる金属板の２層構造を有する。接続部１１を構成する上側の金属板には、上方に隆起すると共に頂面が平坦な接触部１４が設けられている。後述するように、この接触部１４に、相手側端子５０のばね板部５４（図２７参照）が押圧接触することで、端子１０と相手側端子５０とが電気的に接続される。
【００１９】
接続部１１を構成する下側の金属板における前方側端部、及び、当該前方側端部から所定距離だけ後方側に離れた位置には、それぞれ、幅方向両側にて幅方向外側に突出する一対の突片１５、及び、一対の突片１６が設けられている。特に、一対の突片１６には、前後方向の中央部にて、上方に隆起する隆起部１６ａが形成されている（特に、図６参照）。後述するように、これらの突片１５，１６は、ハウジング２０に端子１０を保持（固定）する機能を果たす（図１５等参照）。
【００２０】
導体固定部１２には、一対の加締め片１７が形成されている。これらの加締め片１７により電線Ｗから露出する導体芯線を圧着することで、導体芯線が導体固定部１２に固定され且つ電気的に接続される。
【００２１】
被覆固定部１３には、一対の加締め片１８が形成されている。これらの加締め片１８により電線Ｗの被覆を圧着することで、電線Ｗが被覆固定部１３に固定される。
【００２２】
端子１０における接続部１１と導体固定部１２との境界部分には、上方に突出する一対の突部１９が設けられている。後述するように、突部１９は、端子１０の前方側及び後方側への抜けを防止する機能を果たす。
【００２３】
次に、図８〜図１５を参照しながら、ハウジング２０について説明する。図８に示すように、ハウジング２０は、矩形平板状のハウジング本体２１を備える。ハウジング本体２１の上下面それぞれには、複数の端子１０を収容するための複数の端子収容部が形成されている。ハウジング本体２１の上面側及び下面側の構成は、若干の相違はあるものの、大略的には同様であるので、以下、ハウジング本体２１の上面側の構成についてのみ説明する。
【００２４】
ハウジング本体２１の上面には、幅方向に間隔を空けて前後方向に延びる複数の立壁２２が一体に形成されている。各立壁２２は、幅方向に隣接する２つの端子収容部を仕切る機能を果たす。即ち、ハウジング本体２１の上面には、複数の立壁２２により仕切られると共に上方が開放された複数の端子収容部が幅方向に並ぶように形成されている。
【００２５】
図１０及び図１１（特に、図１１）に示すように、各端子収容部の前方側端部、及び、当該前方側端部から所定距離だけ後方側に離れた位置には、それぞれ、端子収容部の幅方向両側の壁面（具体的には、隣接する一対の立壁２２の対向する両壁面）にて、幅方向内側に突出する一対の突部２３、及び、一対の突部２４が設けられている。なお、一対の突部２３及び一対の突部２４それぞれの幅方向両端面間の幅寸法は、端子収容部の幅寸法より若干小さい。
【００２６】
この結果、ハウジング本体２１の上面と一対の突部２３との間に、幅方向内側に開口すると共に前後方向に延びる一対の溝２５が形成されている。ハウジング本体２１の上面と一対の突部２４との間に、幅方向内側に開口すると共に前後方向に延びる一対の溝２６が形成されている。一対の溝２５は、前後方向両側に開口している。一対の溝２６は、前方側に開口し、後方側は底面で塞がれている。これらの溝２５，２６は、ハウジング２０に端子１０を保持（固定）する機能を果たす。
【００２７】
以下、ハウジング２０に端子１０を保持（固定）する際の手順について、図１２〜図１５を参照しながら説明する。なお、本例では、端子１０に予め電線Ｗが接続されている。先ず、図１２及び図１３に示すように、電線Ｗが接続された端子１０を、一対の突片１５が一対の溝２５の前方側に、且つ、一対の突片１６が一対の溝２６の前方側に位置するように、端子収容部に載置する。この状態は、一対の突片１６を、前後方向に隣接する突部２３，２４の間の隙間を上方から下方に向けて通過させることで得られる（図１３に示す矢印を参照）。
【００２８】
次に、この状態から、図１４及び図１５に示すように、電線Ｗが接続された端子１０を、ハウジング２０に対して後方側に、一対の突片１６の後端面が一対の溝２６の底面に当接するまで、引き込む。この結果、一対の突片１５が一対の溝２５内に係止され、一対の突片１６が一対の溝２６内に係止された状態が得られる（特に、図１５参照）。更に、この状態では、一対の突片２６の隆起部２６ａが、一対の溝２６に圧入されている。この結果、端子１０がハウジング２０に保持（固定）される共に、端子１０とハウジング２０との間のガタが抑制される。
【００２９】
次に、図１６〜図２５を参照しながら、カバー３０について説明する。カバー３０として、本例では、上カバー３０Ａと、下カバー３０Ｂが使用される（図２参照）。上カバー３０Ａは、ハウジング本体２１の上面側に組み付けられて、上面側の端子収容部の上方を塞ぐ機能を有し、下カバー３０Ｂは、ハウジング本体２１の下面側に組み付けられて、下面側の端子収容部の下方を塞ぐ機能を有する。
【００３０】
先ず、図１６〜図１８を参照しながら、上カバー３０Ａについて説明する。図１６は、ハウジング本体２１への組み付け時の向きの上カバー３０Ａを示し、図１７は、裏返した上カバー３０Ａを示す。
【００３１】
上カバー３０Ａは、略平板状のカバー本体３１を備える。カバー本体３１の下面には、ハウジング本体２１の立壁２２に対応して、幅方向に間隔を空けて前後方向に延びる複数の立壁３２が一体に形成されている。これにより、上カバー３０Ａのハウジング２０への組み付け状態では、ハウジング本体２１の端子収容部の上方が上カバー３０Ａにより塞がれて、前後方向に連続する筒状の形状を有する端子収容部が構成される。
【００３２】
上カバー３０Ａのカバー本体３１の下面における前方側端部、及び、当該前方側端部から所定距離だけ後方側に離れた位置には、それぞれ、図１８に示すように、下方に突出する複数の突起部３３、及び、複数の突起部３４が、幅方向における複数の端子収容部の位置（隣接する立壁３２の間の位置）に一体で形成されている。突起部３３，３４は、後述するように、上カバー３０Ａのハウジング２０への組み付け状態において、端子１０の前方側及び後方側への抜けを防止する機能を果たす。
【００３３】
上カバー３０Ａのカバー本体３１の幅方向両端部には、ハウジング２０への組み付け時において、下カバー３０Ｂの係合部３６（図１９及び図２０参照）とそれぞれ係合する係合部３５が一体で形成されている。また、上カバー３０Ａのカバー本体３１の前端部における幅方向中央部には、ハウジング２０への組み付け時において、ハウジング２０の係合部２７（図８参照）と係合する係合部３７が一体で形成されている。
【００３４】
次に、図１９〜図２１を参照しながら、下カバー３０Ｂについて説明する。図１９は、ハウジング本体２１への組み付け時の向きの下カバー３０Ｂを示し、図２０は、裏返した下カバー３０Ｂを示す。上カバー３０Ａ及び下カバー３０Ｂの構成は、上下方向に対称であることを除き、若干の相違はあるものの、大略的には同様である。従って、下カバー３０Ｂについては、上カバー３０Ａの各構成に対応する構成に対して上カバー３０Ａと同じ符号を付すことで、それらの説明に代える。
【００３５】
図２２〜図２５に示すように、上カバー３０Ａ及び下カバー３０Ｂがハウジング２０に組み付けられた状態では、上カバー３０Ａの係合部３７（図１６参照）とハウジング２０の係合部２７（図８参照）とが互いに係止され、且つ、上カバー３０Ａの複数の係合部３５と下カバー３０Ｂの複数の係合部３６とが互いに係止されている。これらの協働により、上カバー３０Ａ及び下カバー３０Ｂそれぞれがハウジング２０に対して相対移動不能に組み付けられ、且つ、上カバー３０Ａ及び下カバー３０Ｂ同士も相対移動不能に組み付けられる。
【００３６】
更に、図２４及び図２５に示すように、上カバー３０Ａ及び下カバー３０Ｂそれぞれの突起部３３，３４が、対応する端子１０の突部１９を前後方向において包囲するように配置される。この結果、突部１９及び突起部３３との協働により、端子１０の前方側への抜けが防止され、突部１９及び突起部３４との協働により、端子１０の後方側への抜けが防止される。
【００３７】
次に、図２６を参照しながら、コネクタカバー４０について説明する。コネクタカバー４０は、上下方向に互いに対向するように配置された一対の板状の電線収容部４１と、下側の電線収容部４１の後方側に一体に延出形成された電線保持部４２と、を備える。コネクタカバー４０は、一対の電線収容部４１それぞれの前方側端部に設けられた係合部４３を、ハウジング２０に組み付けられた状態にある上カバー３０Ａ及び下カバー３０Ｂそれぞれの後方側端部に設けられた係合部（図示省略）に取り付けることで、ハウジング２０の後端面から後方側へ突出するように、ハウジング２０に固定される（図１参照）。
【００３８】
一対の電線収容部４１は、複数の端子収容部に収容された複数の端子１０から後方側に延びる複数の電線Ｗを収容して保護する機能を有する。電線保持部４２は、ハウジング２０から後方側に延びる複数の電線Ｗを束ねて保持するために使用される部位である。ハウジング２０から後方側に延びる複数の電線Ｗは、タイバンド等を利用して束ねた状態で電線保持部４２に保持されることになる。以上、コネクタ１について説明した。
【００３９】
次に、図２７〜図３６を参照しながら、図３及び図４に示す相手側コネクタ２を構成する各部品について順に説明する。
【００４０】
先ず、図２７及び図２８を参照しながら、相手側端子５０について説明する。図２７に示すように、相手側端子５０として、本例では、図２７（ａ）に示す相手側端子５０Ａと、図２７（ｂ）に示す相手側端子５０Ｂと、が使用される。相手側端子５０Ａは、相手側ハウジング６０に形成されている上下２段に位置する端子収容孔６２（図３０参照）のうち上段の端子収容孔６２に挿入される端子であり、相手側端子５０Ｂは、下段の端子収容孔６２に挿入される端子である。
【００４１】
相手側端子５０Ａ，５０Ｂは共に、板状金属部材にプレス加工・曲げ加工等を施すことで形成された雄端子であり、端子１０の接触部１４（図７参照）と接触する接続部５１と、接続部５１の後方側に連続する圧入部５２と、圧入部５２の後方側に連続するタブ部５３と、を備える。
【００４２】
相手側端子５０Ａ，５０Ｂの接続部５１には、短冊状の金属版を折り曲げて形成されたばね板部５４が配置されている。ばね板部５４の頂部が端子１０の接触部１４と接触することになる。接続部５１の前方側端部には、ばね板部５４を保護するための保護壁部５５が設けられている。保護壁部５５は、ばね板部５４の前方側の折り曲げ部に外力が及んで、ばね板部５４の折り曲げ部が変形することを防止する機能を有する。
【００４３】
相手側端子５０Ａ，５０Ｂの圧入部５２には、上下方向に延びる一対の側壁の上下方向両側にて上下方向に突出する複数の爪部５６が設けられている（特に、図２８参照）。後述するように、爪部５６は、相手側端子５０を端子収容孔６２に挿入する際に、端子収容孔６２に設けられた圧入段部６４に圧入される。
【００４４】
相手側端子５０Ａ，５０Ｂのタブ部５３は、クランク状に屈曲形成されており、前後方向に延びるタブ部５３の先端部は、相手側ハウジング６０が基板（図示省略）に実装された際に、当該基板の回路に接続されることになる。
【００４５】
次に、図２９〜図３６を参照しながら、相手側ハウジング６０について説明する。図２９に示すように、相手側ハウジング６０は、略直方体状のハウジング本体６１を有する。ハウジング本体６１の後方側部分には、図３０及び図３４から理解できるように、上下２段に位置する複数の端子収容孔６２が形成されている。ハウジング本体６１の前方側部分の内部には、図２９及び図３４から理解できるように、複数の端子収容孔６２に連続する嵌合空間６３が形成されている。
【００４６】
各端子収容孔６２の後方側端部の上下壁には、図３１に示すように、圧入段部６４が形成されている。図３４及び図３５に示すように、各端子収容孔６２の前方側端部には、ストッパ部６６が突設されている。相手側端子５０は、接続部５１の前方側端部（保護壁部５５）がストッパ部６６に当接するまで端子収容孔６２に挿入される（図３６参照）。これにより、相手側端子５０が端子収容孔６２の正規位置に収容された状態が得られる。相手側端子５０が正規位置にある状態では、接続部５１のばね板部５４が嵌合空間６３に臨むように位置する（図３６参照）。
【００４７】
相手側端子５０が正規位置に収容された状態では、図３２に示すように、相手側端子５０の圧入部５２の爪部５６が圧入段部６４に圧入されている。これにより、相手側端子５０が端子収容孔６２の正規位置にて保持（固定）されると共に、相手側端子５０と相手側ハウジング６０との間のガタが抑制される。
【００４８】
相手側ハウジング６０には、図２９に示すように、一対のペグ７０（図４参照）を取り付けるための一対の取付部６５が設けられている。相手側ハウジング６０は、一対の取付部６５に一対のペグ７０を取り付けた状態で、一対のペグ７０を利用して、基板に実装され固定される。以上、相手側コネクタ２について説明した。
【００４９】
次に、図３７〜図４３を参照しながら、コネクタ１と相手側コネクタ２とが嵌合した嵌合状態について説明する。図３７及び図３９から理解できるように、コネクタ１が相手側コネクタ２の嵌合空間６３に挿入されることで、コネクタ１と相手側コネクタ２とが嵌合状態となる。
【００５０】
嵌合状態では、図４０に示すように、コネクタ１側の端子１０の接触部１４と、相手側コネクタ２側の相手側端子５０のばね板部５４とが上下方向において押圧接触している。これにより、端子１０と相手側端子５０とが電気的に接続される。
【００５１】
更に、図３９及び図４１〜図４３に示すように、相手側ハウジング６０に設けられた溝６７に、ハウジング２０の前方側の端縁部が挿入されている。なお、溝６７に、当該端縁部が圧入されてもよい。これにより、ハウジング２０と相手側ハウジング６０との間のガタが抑制される。この圧入は、溝６７の内壁面の複数箇所に形成されたリブ６８（図４３参照）に、ハウジング２０の前方側の端縁部が圧入されることで達成されている。
【００５２】
以上、本発明の実施形態に係るコネクタ１によれば、端子１０において、幅方向外側に突出する突片１５，１６を設けるための幅方向のスペースは必要となるものの、ランスや端子の段部を設けるための上下方向のスペースが不要となる分、コネクタ１の低背化を達成可能である。更に、上方が開口した端子収容部に端子１０を載置し、その端子１０を後方側に引き込む、という極めて単純な動作を行うだけで、端子１０がハウジング２０に確実に保持され得る。以上より、コネクタ１の低背化が可能であり、且つ、端子１０の組み付け性が良好なコネクタ１を提供することができる。
【００５３】
更に、端子１０のハウジング２０への組み付け完了時、端子１０側の突片１６の隆起部１６ａがハウジング２０側の溝２６に圧入されるので、ハウジング２０−端子１０間のガタを確実に抑制することができる。
【００５４】
更に、ハウジング２０と相手側ハウジング６０との嵌合時、ハウジング２０の前方側の端縁部が相手側ハウジング６０に設けられた溝６７に圧入されるので、ハウジング２０−相手側ハウジング６０間のガタを確実に抑制することができる。
【００５５】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５６】
上記実施形態では、端子１０の一対の突片１５がハウジング２０の一対の溝２５内に係止され、端子１０の一対の突片１６がハウジング２０一対の溝２６内に係止されることで、端子１０がハウジング２０に保持（固定）されている。これに対し、端子１０の一対の突片がハウジング２０の一対の溝内に係止されることのみで、端子１０がハウジング２０に保持（固定）されていてもよい。
【００５７】
ここで、上述した本発明に係るコネクタ１の実施形態の特徴をそれぞれ以下［１］〜［４］に簡潔に纏めて列記する。
［１］
相手側端子（５０）に接続される接続部（１１）を前方側に有し、電線（Ｗ）の端部を固定する電線固定部（１２，１３）を後方側に有する端子（１０）と、
上方が開放されると共に前記端子（１０）を保持する端子収容部を有する板状のハウジング（２０）と、
を備え、
前記端子（１０）の前記接続部（１１）には、前記接続部（１１）の幅方向両側にて幅方向外側に突出する突片（１５，１６）が設けられ、
前記ハウジング（２０）の前記端子収容部には、前記端子収容部の幅方向両側にて、幅方向内側且つ前方側に開口すると共に前後方向に延びる溝（２５，２６）が設けられ、
前記突片（１５，１６）が前記溝（２５，２６）に係止されることで、前記端子（１０）が前記ハウジング（２０）に保持される、コネクタ（１）。
［２］
上記［１］に記載のコネクタ（１）において、
前記突片（１５，１６）が前記溝（２５，２６）の前方側に位置するように前記端子収容部に載置された前記端子（１０）を前記ハウジング（２０）に対して後方側に引き込むことで、前記突片（１５，１６）が前記溝（２５，２６）に進入可能に構成された、コネクタ（１）。
［３］
上記［１］又は上記［２］に記載のコネクタ（１）において、
前記突片（１６）には、上下方向に隆起する隆起部（１６ａ）が形成され、前記隆起部（１６ａ）が前記溝（２６）に圧入される、コネクタ（１）。
［４］
上記［１］乃至上記［３］の何れか１つに記載のコネクタ（１）において、
前記ハウジング（２０）と前記相手側端子（５０）を保持する相手側ハウジング（６０）との嵌合時、前記相手側ハウジング（６０）に設けられた溝（６７）に、前記ハウジング（２０）の前方側の端縁部が圧入される、コネクタ（１）。
【符号の説明】
【００５８】
１      コネクタ
１０    端子
１１    接続部
１２    導体固定部（電線固定部）
１３    被覆固定部（電線固定部）
１５    突片
１６    突片
１６ａ  隆起部
２０    ハウジング
２５    溝
２６    溝
５０    相手側端子
６０    相手側ハウジング
６７    溝
Ｗ      電線
【図１】
2020087676.tif 000003
【図２】
2020087676.tif 000004
【図３】
2020087676.tif 000005
【図４】
2020087676.tif 000006
【図５】
2020087676.tif 000007
【図６】
2020087676.tif 000008
【図７】
2020087676.tif 000009
【図８】
2020087676.tif 000010
【図９】
2020087676.tif 000011
【図１０】
2020087676.tif 000012
【図１１】
2020087676.tif 000013
【図１２】
2020087676.tif 000014
【図１３】
2020087676.tif 000015
【図１４】
2020087676.tif 000016
【図１５】
2020087676.tif 000017
【図１６】
2020087676.tif 000018
【図１７】
2020087676.tif 000019
【図１８】
2020087676.tif 000020
【図１９】
2020087676.tif 000021
【図２０】
2020087676.tif 000022
【図２１】
2020087676.tif 000023
【図２２】
2020087676.tif 000024
【図２３】
2020087676.tif 000025
【図２４】
2020087676.tif 000026
【図２５】
2020087676.tif 000027
【図２６】
2020087676.tif 000028
【図２７】
2020087676.tif 000029
【図２８】
2020087676.tif 000030
【図２９】
2020087676.tif 000031
【図３０】
2020087676.tif 000032
【図３１】
2020087676.tif 000033
【図３２】
2020087676.tif 000034
【図３３】
2020087676.tif 000035
【図３４】
2020087676.tif 000036
【図３５】
2020087676.tif 000037
【図３６】
2020087676.tif 000038
【図３７】
2020087676.tif 000039
【図３８】
2020087676.tif 000040
【図３９】
2020087676.tif 000041
【図４０】
2020087676.tif 000042
【図４１】
2020087676.tif 000043
【図４２】
2020087676.tif 000044
【図４３】
2020087676.tif 000045